(57)【要約】【課題】照明器具において、フードへの透光性カバーの取付けを可能にしつつ、当該フードの軽量化を実現する。【解決手段】照明器具は、光源からの光が通過する開口を有した筒状のフード２と、当該フード２に取り付けられる透光性カバー４と、を備える。そして、フード２の内周面２ａには係合溝２３が形成されており、透光性カバー４は、フード２の前側の開口２１ａを塞ぐカバーであって、係合溝２３に係合する爪部４４を有する。【選択図】図３
2019023986.tif 000002
【特許請求の範囲】
【請求項１】
光源からの光が通過する開口を有した筒状のフードと、
前記フードに取り付けられ、当該フードの前側の開口を塞ぐ透光性カバーと、
を備え、
前記フードの内周面には係合溝が形成されており、
前記透光性カバーは、前記係合溝に係合する爪部を有する、照明器具。
【請求項２】
シール部材を更に備え、
前記フードは、当該フードの前端の位置又はその近傍の位置にて内向きに迫り出して前記開口を形成する環状の鍔部を有し、
前記鍔部の背面に前記シール部材が配されており、
前記透光性カバーは、前記シール部材に背面側から当接する当接部を更に有し、
前記係合溝への前記爪部の係合により、前記シール部材が、前記鍔部と前記当接部とで挟圧される、請求項１に記載の照明器具。
【請求項３】
前記透光性カバーは、前記当接部から後方へ延びた撓曲部を更に有し、当該撓曲部に前記爪部が設けられている、請求項２に記載の照明器具。
【請求項４】
爪部には、フードの中心軸に垂直な後端面が形成されており、
前記係合溝には、前記爪部の係合時に前記後端面に面接触する内面が形成されている、請求項１〜３の何れか１項に記載の照明器具。
【請求項５】
前記開口から露出した前記透光性カバーの前面と前記鍔部の前面とが同一平面で揃っている、請求項１〜４の何れか１項に記載の照明器具。
【発明の詳細な説明】
【技術分野】
【０００１】
本発明は、スポットライト等の照明器具に関し、特に、光源からの光が通過する開口を有したフードに透光性カバーを取り付ける技術に関する。
【背景技術】
【０００２】
照明器具の一例であるスポットライトには、光源からの光が通過する開口を有した筒状のフードと、当該フードの開口を塞ぐレンズ等の透光性カバーと、を備えたものが存在する（例えば、特許文献１参照）。従来、この様なスポットライトでは、透光性カバーは、枠体を用いてフードの開口端部に押え付けられた状態で、当該開口端部に枠体がネジ留めされることによりフードに取り付けられていた。
【先行技術文献】
【特許文献】
【０００３】
【特許文献１】特開２０１５−１２８０２５号公報
【発明の概要】
【発明が解決しようとする課題】
【０００４】
しかしながら、上述した従来のスポットライトでは、フードに、枠体をネジ留めするためのネジ穴を設ける必要があった。このため、少なくともネジ穴を設ける箇所において、フードを肉厚に形成することが必要とされ、それが原因となってフードが重くなっていた。
【０００５】
そこで本発明の目的は、照明器具において、フードへの透光性カバーの取付けを可能にしつつ、当該フードの軽量化を実現することである。
【課題を解決するための手段】
【０００６】
本発明に係る照明器具は、光源からの光が通過する開口を有した筒状のフードと、当該フードに取り付けられる透光性カバーと、を備える。そして、フードの内周面には係合溝が形成されており、透光性カバーは、フードの前側の開口を塞ぐカバーであって、係合溝に係合する爪部を有する。
【０００７】
上記照明器具によれば、透光性カバーの爪部をフードの係合溝に係合させるといった簡単な作業で、透光性カバーをフードに取り付けることができる。しかも、フードには、その内周面に、透光性カバーの爪部が係合する係合溝を設けるだけでよく、この係合溝は、フードの厚さが小さくても形成することができる。よって、フードの厚さを小さくして、当該フードの軽量化を図ることができる。
【０００８】
上記照明器具は、シール部材を更に備えていてもよい。この構成において、フードは、当該フードの前端の位置又はその近傍の位置にて内向きに迫り出して上記前側の開口を形成する環状の鍔部を有し、当該鍔部の背面にシール部材が配されていることが好ましい。又、透光性カバーは、シール部材に背面側から当接する当接部を更に有し、係合溝への爪部の係合により、シール部材が、鍔部と当接部とで挟圧されることが好ましい。この構成によれば、係合溝と爪部との係合を利用して、シール部材を挟圧することができる。よって、鍔部と当接部との間がシール部材で封止され、その結果として照明器具の防水性が高められる。
【０００９】
上記照明器具において、透光性カバーは、当接部から後方へ延びた撓曲部を更に有し、当該撓曲部に爪部が設けられていてもよい。この構成によれば、フードの内周面に設けられた係合溝への爪部の係合が容易になる。
【００１０】
上記照明器具において、爪部には、フードの中心軸に垂直な後端面が形成され、係合溝には、爪部の係合時に当該爪部の後端面に面接触する内面が形成されていてもよい。この構成によれば、透光性カバーが後方へ付勢されたとき、爪部の後端面と係合溝の上記内面とがフードの中心軸に垂直な面内で接触する。よって、透光性カバーが、シール部材からの反発力等を受けて後方へ付勢された場合でも、当該透光性カバーに加わった付勢力が爪部を介して係合溝の上記内面で受け止められ、その結果として係合溝への爪部の係合が解除され難くなる。即ち、係合溝と爪部とが強固に係合される。
【００１１】
上記照明器具において、上記前側の開口から露出した透光性カバーの前面と鍔部の前面とが同一平面で揃っていてもよい。この構成によれば、鍔部の内周面が透光性カバーで覆われるため、その内周面での光の反射を抑制することができる。よって、照明光とは異なる不要な光が生じ難くなる。
【発明の効果】
【００１２】
本発明によれば、照明器具において、フードへの透光性カバーの取付けを可能にしつつ、当該フードの軽量化を実現することができる。
【図面の簡単な説明】
【００１３】
【図１】実施形態に係るスポットライトを概念的に示した（Ａ）斜視図及び（Ｂ）側面図である。
【図２】図１（Ｂ）に示されたII−II線でのスポットライトの断面図である。
【図３】図２に示されたIII領域の拡大図である。
【図４】（Ａ）〜（Ｃ）フードへの透光性カバーの取付方法を順に示した断面図である。
【図５】フードへの透光性カバーの取付構造に関する変形例を示した断面図である。
【発明を実施するための形態】
【００１４】
以下、本発明をスポットライトに適用した実施形態について、具体的に説明する。
【００１５】
［１］スポットライト
図１（Ａ）及び（Ｂ）はそれぞれ、実施形態に係るスポットライトを概念的に示した斜視図及び側面図である。図２は、図１（Ｂ）に示されたII−II線でのスポットライトの断面図であり、図３は、図２に示されたIII領域の拡大図である。図１（Ａ）〜図３に示される様に、スポットライトは、本体１と、フード２と、ＬＥＤ光源３と、透光性カバー４と、を備える。尚、図３では、要部以外の部分は図示が省略されている。
【００１６】
本体１は、スポットライトにおいてＬＥＤ光源３が設置される部分である。本実施形態では、本体１の外面おける所定の端面を前面１ａ（図２参照）として、当該前面１ａにＬＥＤ光源３が設置されている。スポットライトの使用時には、本体１の前面１ａが、ＬＥＤ光源３からの光を照射する方向に向けられる。
【００１７】
フード２は、円筒状であり、ＬＥＤ光源３からの光が通過する様に本体１の前面１ａに取り付けられる。具体的には、フード２は、ＬＥＤ光源３を包囲する様に取り付けられる。よって、ＬＥＤ光源３からの光は、フード２の内側を通過した後、当該フード２の前側（本体１とは反対側）の開口２１ａから外部に放たれる。尚、フード２内には、ＬＥＤ光源３の他に、ＬＥＤ光源３からの光を通過又は反射させることで照明光を形成するレンズ８１や反射板８２などが収納されてもよい（図２参照）。
【００１８】
本実施形態では、フード２は、当該フード２の前端の位置にて内向きに迫り出した円環状の鍔部２２を有し、当該鍔部２２によって開口２１ａが円形状に形成されている。尚、鍔部２２は、フード２の前端の位置に限らず、その位置から後方へ所定の距離だけずれた位置（特許請求の範囲に記載の「近傍の位置」に相当）に設けられてもよい。
【００１９】
本体１の外壁及びフード２は、放熱性の高いアルミニウム等の材料を用いてダイキャストや押出成形等で成形される。よって、ＬＥＤ光源３で生じた熱は、本体１の外壁やフード２から効率良く外部に放出される。
【００２０】
透光性カバー４は、フード２に取り付けられるカバーであり、フード２の前側の開口２１ａを塞ぎつつ、ＬＥＤ光源３からの光を透過させる。具体的には、透光性カバー４は、鍔部２２の内側に嵌まって開口２１ａを塞ぐ本体部４１を有する。本実施形態では、本体部４１は、開口２１ａ全体を塞ぐことが可能になる様に、開口２１ａの形状（即ち、鍔部２２の内周縁の形状）に応じて円盤状に形成されている。尚、透光性カバー４をフード２に取り付けるための取付構造の詳細については、後述する。
【００２１】
上記スポットライトにおいて、フード２は円筒状である。又、開口２１ａは円形状であり、その形状に応じて透光性カバー４の本体部４１は円盤状である。尚、フード２及び開口２１ａの形状、並びに透光性カバー４の本体部４１の形状は、これらに限らず、以下に説明する取付構造（フード２への透光性カバー４の取付構造）を適用することが可能な種々の形状に変形されてもよい。
【００２２】
［２］取付構造及び取付方法
以下、フード２への透光性カバー４の取付構造及び取付方法について、具体的に説明する。尚、図４（Ａ）〜（Ｃ）は、フード２への透光性カバー４の取付方法を順に示した断面図である。
【００２３】
図２及び図３に示される様に、スポットライトは、シール部材５を更に備える。具体的には、シール部材５は、弾性を有するパッキン等の環状のシール部材であり、鍔部２２の背面２２ｂに配されている。
【００２４】
又、フード２の内周面２ａには係合溝２３が形成されている。具体的には、係合溝２３は、内周面２ａに全周に亘って形成されている。又、係合溝２３は、フード２の開口２１ａに近い位置（具体的には、当該開口２１ａから所定の距離だけ離れた位置）に設けられている。
【００２５】
透光性カバー４は、本体部４１の他に、当接部４２と、撓曲部４３と、爪部４４と、を有する。これらの構成部分は、本体部４１と共に、透光性を有する樹脂等の材料で一体的に形成される。
【００２６】
当接部４２は、シール部材５に背面側から当接する部分である。具体的には、当接部４２は、本体部４１よりも外周縁の半径が大きい円環状である。そして、開口２１ａから露出する本体部４１の前面４１ａと、当接部４２の前面４２ａ（シール部材５に当接する面）と、の間に段差が生じる様に、本体部４１と当接部４２とが段差部４５を介して連結されている。
【００２７】
撓曲部４３は、当接部４２から後方へ延びた部分であり、少なくとも内側へ撓曲することが可能である。又、爪部４４は、係合溝２３に係合する部分であり、撓曲部４３に対して外向きに設けられている。本実施形態では、撓曲部４３は、当接部４２に４つ設けられており、それらが周方向において等間隔に配されている。そして、各撓曲部４３に爪部４４が外向きに設けられている。尚、撓曲部４３及び爪部４４は、４組に限定されない複数組が、フード２への透光性カバー４の取付けが可能になる範囲内で様々な位置に配されてもよい。
【００２８】
上記透光性カバー４は、係合溝２３への爪部４４の係合により、フード２に取り付けられる（図３参照）。このとき、シール部材５は、背面側から当接部４２によって鍔部２２の背面２２ｂに押し付けられ、これにより、鍔部２２と当接部４２とで挟圧される。そして、この挟圧によって透光性カバー４がシール部材５から受ける反発力は、係合溝２３と爪部４４との係合によって受け止められる。即ち、上記取付構造によれば、係合溝２３と爪部４４との係合を利用して、透光性カバー４をフード２に取り付けつつ、シール部材５を挟圧することができる。
【００２９】
具体的には、係合溝２３と爪部４４との係合によってシール部材５を適度に弾性変形させることが可能となる様に、係合溝２３の位置に応じて、フード２の中心軸方向における当接部４２の前面４２ａから爪部４４（具体的には、後述する爪部４４の後端面４４ｂ）までの距離Ｌ１（図３参照）が決められている。これにより、鍔部２２と当接部４２との間がシール部材５で封止され、その結果としてスポットライトの防水性が高められる。
【００３０】
更に、図３〜図４（Ｂ）に示される様に、爪部４４には、フード２の中心軸に垂直な後端面４４ｂが形成され、係合溝２３には、爪部４４の係合時に当該爪部４４の後端面４４ｂに面接触する内面２３ａが形成されている。後端面４４ｂと内面２３ａとは、シール部材５からの反発力によって透光性カバー４が後方へ付勢されたとき、フード２の中心軸に垂直な面内で接触する。よって、シール部材５からの反発力（即ち、透光性カバー４に加わった付勢力）が爪部４４を介して係合溝２３の内面２３ａで受け止められ、その結果として係合溝２３への爪部４４の係合が解除され難くなる。即ち、係合溝２３と爪部４４とが強固に係合される。
【００３１】
フード２への透光性カバー４の取付けは、本実施形態では、フード２を本体１に取り付ける前に実行される。具体的には、先ず、フード２の鍔部２２の背面２２ｂにシール部材５を設置した後、フード２の後ろ側の開口から透光性カバー４を挿入する（図４（Ａ）参照）。このとき、透光性カバー４は、本体部４１を前方に向けた状態でフード２に挿入される。そして、フード２内への透光性カバー４の挿入に伴って、爪部４４の前端面４４ａが、フード２の後ろ側の開口端部２４（具体的には内側のエッジ）に当接する。
【００３２】
本実施形態では、爪部４４の前端面４４ａに傾斜が設けられており、当該前端面４４ａには開口端部２４（具体的には内側のエッジ）が斜めに当接する。従って、透光性カバー４が更に押し込まれることにより、爪部４４には、撓曲部４３からの反発力（外向きの付勢力）に抗して当該爪部４４を内側へ移動させる力（内向きの付勢力）が加わる。その結果として、透光性カバー４は、全体がフード２内に収まる位置まで移動する（図４（Ｂ）参照）。このとき、爪部４４は、撓曲部４３の付勢力（外向きの力）により、フード２の内周面２ａに押し付けられた状態となる。
【００３３】
その後、透光性カバー４を前方へ押し込むことにより、当接部４２をシール部材５に背面側から当接させる（図４（Ｃ）参照）。そして、この状態から透光性カバー４を、シール部材５からの反発力に抗して前方へ更に押し込むことにより、シール部材５を適度に弾性変形させる（図３参照）。それと共に、爪部４４を係合溝２３に到達させることにより、内周面２ａから爪部４４が受けていた内向きの力が解除或いは小さくなり、その結果として、爪部４４が係合溝２３に嵌まる。この様にして、透光性カバー４がフード２に取り付けられる。
【００３４】
本実施形態のスポットライトでは、この様な取付構造により、爪部４４を係合溝２３に係合させるといった簡単な作業で、透光性カバー４をフード２に取り付けることができる。しかも、フード２には、その内周面２ａに、透光性カバー４の爪部４４が係合する係合溝２３を設けるだけでよく、この係合溝２３は、フード２の厚さが小さくても形成することができる。よって、上記スポットライトによれば、フード２の厚さを小さくして、当該フード２の軽量化を図ることができる。
【００３５】
本実施形態では更に、フード２に透光性カバー４が取り付けられたとき（図３参照）、フード２の前側の開口２１ａから露出する本体部４１の前面４１ａ（透光性カバー４の前面）が、鍔部２２の前面２２ａと同一平面で揃う。具体的には、本体部４１の前面４１ａと鍔部２２の前面２２ａとを同一平面で揃えることが可能となる様に、フード２の中心軸方向における当接部４２の前面４２ａから本体部４１の前面４１ａまで距離Ｌ２が決められている。
【００３６】
この構成によれば、鍔部２２の内周面２２ｃ（図３参照）が透光性カバー４で覆われるため、その内周面２２ｃでの光の反射を抑制することができる。従来、透光性カバーは、環状の枠体で押え付けられた状態でフードに取り付けられていた。このため、枠体の内周面が透光性カバーから露出し、その内周面で反射された光が、照明光とは異なる不要な光としてユーザに与えられる虞があった。これに対し、上記構成によれば、その様な不要な光が生じ難くなる。
【００３７】
［３］変形例
上述したスポットライトは、本発明の実施形態の一例であり、種々の変形が可能である。以下、幾つかの変形例について説明する。
【００３８】
＜変形例１＞
上記スポットライトは、例えば、屋内に設置される場合や、屋外であっても雨水に晒され難い環境下に設置される場合には、フード２と透光性カバー４との間にシール部材５を介在させない構成であってもよい。この構成であっても、係合溝２３への爪部４４の係合によって透光性カバー４をフード２に取り付けることができるため、フード２を薄く形成することが可能になる。よって、フード２の厚さを小さくして、当該フード２の軽量化を図ることができる。
【００３９】
この場合、上記スポットライトからは、図５に示される様に、シール部材５を挟圧するための構成（フード２の鍔部２２及び透光性カバー４の当接部４２）を省略することができる。又、この様な構成においては、透光性カバー４は、フード２の前側から挿入して当該フード２に取り付けられてもよい。
【００４０】
＜変形例２＞
透光性カバー４において、撓曲部４３以外の部分を撓ませたり、その部分に弾性を持たせたりすることができる場合には、爪部４４は、撓曲部４３を介さずに本体部４１や当接部４２等に直接的に設けられてもよい。
【００４１】
＜変形例３＞
上記スポットライトにおいて、係合溝２ｃは、フード２の内周面２ａに全周に亘って形成されたものに限らず、爪部４４の位置に応じてフード２の内周面２ａに部分的に形成されてもよい。
【００４２】
＜変形例４＞
上述の実施形態及び変形例の説明は、すべての点で例示であって、制限的なものではないと考えられるべきである。本発明の範囲は、上述の実施形態又は変形例ではなく、特許請求の範囲によって示される。更に、本発明の範囲には、特許請求の範囲と均等の意味及び範囲内での全ての変更が含まれることが意図される。
【００４３】
例えば、上述した取付構造の各部構成は、スポットライトに限らず、フードを備えた種々の照明器具に適用することができる。
【符号の説明】
【００４４】
１  本体
１ａ  前面
２  フード
２ａ  内周面
２ｃ  係合溝
３  ＬＥＤ光源
４  透光性カバー
５  シール部材
２１ａ  開口
２２  鍔部
２２ａ  前面
２２ｂ  背面
２２ｃ  内周面
２３  係合溝
２３ａ  内面
２４  開口端部
４１  本体部
４１ａ  前面
４２  当接部
４２ａ  前面
４３  撓曲部
４４  爪部
４４ａ  前端面
４４ｂ  後端面
４５  段差部
８１  レンズ
８２  反射板
Ｌ１、Ｌ２  距離
【図１】
2019023986.tif 000003
【図２】
2019023986.tif 000004
【図３】
2019023986.tif 000005
【図４】
2019023986.tif 000006
【図５】
2019023986.tif 000007